(57)【特許請求の範囲】
【請求項１】
ＴＶ放送を第１の通信仕様に基づいて配信するサービス事業者と通信し、前記第１の通信仕様とは異なる第２の通信仕様に基づいて宅内ネットワークに接続された端末と通信する宅内配信装置であって、
前記端末から配信開始を要求された前記ＴＶ放送を配信するよう前記サービス事業者に要求する選局制御部と、
前記第１の通信仕様に基づいて前記サービス事業者から配信された前記ＴＶ放送を受信する受信部と、
前記受信部が受信した前記ＴＶ放送を前記第２の通信仕様に基づく信号に変換する変換部と、
前記信号を、前記配信開始を要求した１または複数の前記端末に配信する配信部と、
前記配信開始を要求した前記端末に前記信号を配信するよう前記配信部を制御する管理部と、
を備え、
前記管理部は、前記端末に配信中の前記信号に対応する前記ＴＶ放送の配信停止の要求または他の前記ＴＶ放送の配信開始の要求を前記端末から受信した場合において、前記端末に配信中の前記信号を他の前記端末に配信しているか否かを判断し、
前記選局制御部は、前記他の端末に前記信号を配信していない場合において、前記信号に対応する前記ＴＶ放送の配信を停止するよう前記サービス事業者に要求し、
前記ＴＶ放送に含まれるチャンネルの構成を示すチャンネル構成情報を記憶し、前記チャンネル構成情報を前記ＴＶ放送の配信開始時に前記端末に提供する情報記憶部をさらに備え、
前記選局制御部は、前記端末から前記チャンネル構成情報に基づいて前記チャンネルが指定されると、当該チャンネルに対応する前記ＴＶ放送の配信開始を前記サービス事業者に要求することを特徴とする、宅内配信装置。
【請求項２】
前記配信部は、複数の前記ＴＶ放送の各々に対応する前記信号を、前記配信開始を要求した複数の前記端末の各々に配信することを特徴とする、請求項１に記載の宅内配信装置。
【請求項３】
前記配信部は、１つの前記ＴＶ放送に対応する前記信号を、前記配信開始を要求した１または複数の前記端末に配信することを特徴とする、請求項１または２に記載の宅内配信装置。
【請求項４】
前記管理部は、前記端末に配信中の前記信号に対応する前記ＴＶ放送の配信停止の要求または他の前記ＴＶ放送の配信開始の要求を前記端末から受信した場合において、前記端末への前記信号の配信を停止するよう前記配信部を制御することを特徴とする、請求項１から３のいずれか１項に記載の宅内配信装置。
【請求項５】
前記管理部は、前記信号をＤＬＮＡに基づき前記端末に配信するよう前記配信部を制御することを特徴とする、請求項１から４のいずれか１項に記載の宅内配信装置。
【請求項６】
ＴＶ放送を第１の通信仕様に基づいて配信するサービス事業者と、
前記第１の通信仕様とは異なる第２の通信仕様に基づいて宅内ネットワークに接続された端末と、
前記サービス事業者と前記端末との間で通信可能に接続された宅内配信装置と、
を備える宅内配信システムであって、
前記宅内配信装置は、
前記端末から配信開始を要求された前記ＴＶ放送を配信するよう前記サービス事業者に要求する選局制御部と、
前記第１の通信仕様に基づいて前記サービス事業者から配信された前記ＴＶ放送を受信する受信部と、
前記受信部が受信した前記ＴＶ放送を前記第２の通信仕様に基づく信号に変換する変換部と、
前記信号を、前記配信開始を要求した１または複数の前記端末に配信する配信部と、
前記配信開始を要求した前記端末に前記信号を配信するよう前記配信部を制御する管理部と、
を備え、
前記管理部は、前記端末に配信中の前記信号に対応する前記ＴＶ放送の配信停止の要求または他の前記ＴＶ放送の配信開始の要求を前記端末から受信した場合において、前記端末に配信中の前記信号を他の前記端末に配信しているか否かを判断し、
前記選局制御部は、前記他の端末に前記信号を配信していない場合において、前記信号に対応する前記ＴＶ放送の配信を停止するよう前記サービス事業者に要求し、
前記宅内配信装置は、前記ＴＶ放送に含まれるチャンネルの構成を示すチャンネル構成情報を記憶し、前記チャンネル構成情報を前記ＴＶ放送の配信開始時に前記端末に提供する情報記憶部をさらに備え、
前記選局制御部は、前記端末から前記チャンネル構成情報に基づいて前記チャンネルが指定されると、当該チャンネルに対応する前記ＴＶ放送の配信開始を前記サービス事業者に要求することを特徴とする、宅内配信システム。
【請求項７】
前記配信部は、複数の前記ＴＶ放送の各々に対応する前記信号を、前記配信開始を要求した複数の前記端末の各々に配信することを特徴とする、請求項６に記載の宅内配信システム。
【請求項８】
前記配信部は、１つの前記ＴＶ放送に対応する前記信号を、前記配信開始を要求した１または複数の前記端末に配信することを特徴とする、請求項６または７に記載の宅内配信システム。
【請求項９】
前記管理部は、前記端末に配信中の前記信号に対応する前記ＴＶ放送の配信停止の要求または他の前記ＴＶ放送の配信開始の要求を前記端末から受信した場合において、前記端末への前記信号の配信を停止するよう前記配信部を制御することを特徴とする、請求項６から８のいずれか１項に記載の宅内配信システム。
【請求項１０】
前記管理部は、前記信号をＤＬＮＡに基づき前記端末に配信するよう前記配信部を制御することを特徴とする、請求項６から９のいずれか１項に記載の宅内配信システム。
【請求項１１】
ＴＶ放送を第１の通信仕様に基づいて配信するサービス事業者と通信し、前記第１の通信仕様とは異なる第２の通信仕様に基づいて宅内ネットワークに接続された端末と通信する宅内配信方法であって、
（ａ）前記端末から配信開始を要求された前記ＴＶ放送を配信するよう前記サービス事業者に要求する工程と、
（ｂ）前記第１の通信仕様に基づいて前記サービス事業者から配信された前記ＴＶ放送を受信する工程と、
（ｃ）前記工程（ｂ）にて受信した前記ＴＶ放送を前記第２の通信仕様に基づく信号に変換する工程と、
（ｄ）前記信号を、前記配信開始を要求した１または複数の前記端末に配信する工程と、
（ｅ）前記配信開始を要求した前記端末に前記信号を配信するよう前記工程（ｄ）を制御する工程と、
を備え、
前記工程（ｅ）は、前記端末に配信中の前記信号に対応する前記ＴＶ放送の配信停止の要求または他の前記ＴＶ放送の配信開始の要求を前記端末から受信した場合において、前記端末に配信中の前記信号を他の前記端末に配信しているか否かを判断し、
前記工程（ａ）は、前記他の端末に前記信号を配信していない場合において、前記信号に対応する前記ＴＶ放送の配信を停止するよう前記サービス事業者に要求し、
（ｆ）前記ＴＶ放送に含まれるチャンネルの構成を示すチャンネル構成情報を記憶し、前記チャンネル構成情報を前記ＴＶ放送の配信開始時に前記端末に提供する工程をさらに備え、
前記工程（ａ）は、前記端末から前記チャンネル構成情報に基づいて前記チャンネルが指定されると、当該チャンネルに対応する前記ＴＶ放送の配信開始を前記サービス事業者に要求することを特徴とする、宅内配信方法。
【請求項１２】
前記工程（ｄ）は、複数の前記ＴＶ放送の各々に対応する前記信号を、前記配信開始を要求した複数の前記端末の各々に配信することを特徴とする、請求項１１に記載の宅内配信方法。
【請求項１３】
前記工程（ｄ）は、１つの前記ＴＶ放送に対応する前記信号を、前記配信開始を要求した１または複数の前記端末に配信することを特徴とする、請求項１１または１２に記載の宅内配信方法。
【請求項１４】
前記工程（ｅ）は、前記端末に配信中の前記信号に対応する前記ＴＶ放送の配信停止の要求または他の前記ＴＶ放送の配信開始の要求を前記端末から受信した場合において、前記端末への前記信号の配信を停止するよう前記工程（ｄ）を制御することを特徴とする、請求項１１から１３のいずれか１項に記載の宅内配信方法。
【請求項１５】
前記工程（ｅ）は、前記信号をＤＬＮＡに基づき前記端末に配信するよう前記工程（ｄ）を制御することを特徴とする、請求項１１から１４のいずれか１項に記載の宅内配信方法。
【発明の詳細な説明】
【技術分野】
【０００１】
本発明は、サービス事業者から受信したコンテンツを宅内ネットワークに配信する宅内配信装置、宅内配信システム、および宅内配信方法に関する。
【背景技術】
【０００２】
ＩＰ（Internet Protocol）ＴＶ等のサービス事業者から提供されるＴＶ放送は、サービス事業者の独自の仕様に基づいて配信されている。ユーザが契約したサービス事業者から配信されるＴＶ放送を視聴するためには、サービス事業者の独自の仕様に基づく専用のＳＴＢ（Set Top Box）を受信装置としてテレビ等に接続する必要がある。また、１つのテレビ等につき１つのＳＴＢを設置する必要であり、複数のテレビ等で同時にＴＶ放送を視聴するためには当該複数分のＳＴＢを設置しなければならなかった。【０００３】
従来、サーバを介してサービス事業者から配信されたコンテンツを受信する技術が知られている（例えば、特許文献１，２参照）。
【先行技術文献】
【特許文献】
【０００４】
【特許文献１】特開平９−１２１３３５号公報
【特許文献２】特開２００３−８７７６４号公報
【発明の概要】
【発明が解決しようとする課題】
【０００５】
特許文献１では、サーバから配信されたＴＶ放送を受信するための専用の端末が必要であった。また、特許文献２では、サーバを介してＴＶ放送が原信号のまま配信されるため、サービス事業者の独自の仕様に基づいた専用の端末が必要であった。【０００６】
このように、従来では、サービス事業者から配信されるＴＶ放送を視聴するためには、ＴＶごとに専用の受信端末を設ける必要があり、サービス事業者から配信されたＴＶ放送を宅内ネットワークから簡易に視聴することができなかった。【０００７】
本発明は、これらの問題を解決するためになされたものであり、サービス事業者から配信されたＴＶ放送を宅内ネットワークから簡易に視聴することが可能な宅内配信装置を提供することを目的とする。
【課題を解決するための手段】
【０００８】
上記の課題を解決するために、本発明による宅内配信装置は、ＴＶ放送を第１の通信仕様に基づいて配信するサービス事業者と通信し、第１の通信仕様とは異なる第２の通信仕様に基づいて宅内ネットワークに接続された端末と通信する宅内配信装置であって、端末から配信開始を要求されたＴＶ放送を配信するようサービス事業者に要求する選局制御部と、第１の通信仕様に基づいてサービス事業者から配信されたＴＶ放送を受信する受信部と、受信部が受信したＴＶ放送を第２の通信仕様に基づく信号に変換する変換部と、信号を、配信開始を要求した１または複数の端末に配信する配信部と、配信開始を要求した端末に信号を配信するよう配信部を制御する管理部とを備え、管理部は、端末に配信中の信号に対応するＴＶ放送の配信停止の要求または他のＴＶ放送の配信開始の要求を端末から受信した場合において、端末に配信中の信号を他の端末に配信しているか否かを判断し、選局制御部は、他の端末に信号を配信していない場合において、信号に対応するＴＶ放送の配信を停止するようサービス事業者に要求し、ＴＶ放送に含まれるチャンネルの構成を示すチャンネル構成情報を記憶し、チャンネル構成情報をＴＶ放送の配信開始時に端末に提供する情報記憶部をさらに備え、選局制御部は、端末からチャンネル構成情報に基づいてチャンネルが指定されると、当該チャンネルに対応するＴＶ放送の配信開始をサービス事業者に要求することを特徴とする。
【発明の効果】
【００１０】
本発明によると、ＴＶ放送を第１の通信仕様に基づいて配信するサービス事業者と通信し、第１の通信仕様とは異なる第２の通信仕様に基づいて宅内ネットワークに接続された端末と通信する宅内配信装置であって、端末から配信開始を要求されたＴＶ放送を配信するようサービス事業者に要求する選局制御部と、第１の通信仕様に基づいてサービス事業者から配信されたＴＶ放送を受信する受信部と、受信部が受信したＴＶ放送を第２の通信仕様に基づく信号に変換する変換部と、信号を、配信開始を要求した１または複数の端末に配信する配信部と、配信開始を要求した端末に信号を配信するよう配信部を制御する管理部とを備え、管理部は、端末に配信中の信号に対応するＴＶ放送の配信停止の要求または他のＴＶ放送の配信開始の要求を端末から受信した場合において、端末に配信中の信号を他の端末に配信しているか否かを判断し、選局制御部は、他の端末に信号を配信していない場合において、信号に対応するＴＶ放送の配信を停止するようサービス事業者に要求し、ＴＶ放送に含まれるチャンネルの構成を示すチャンネル構成情報を記憶し、チャンネル構成情報をＴＶ放送の配信開始時に端末に提供する情報記憶部をさらに備え、選局制御部は、端末からチャンネル構成情報に基づいてチャンネルが指定されると、当該チャンネルに対応するＴＶ放送の配信開始をサービス事業者に要求するため、サービス事業者から配信されたＴＶ放送を宅内ネットワークから簡易に視聴することが可能となる。
【００１１】
この発明の目的、特徴、態様、および利点は、以下の詳細な説明と添付図面とによって、より明白となる。
【図面の簡単な説明】
【００１２】
【図１】本発明の実施の形態１によるＴＶ放送の視聴形態を示す図である。
【図２】本発明の実施の形態１による宅内配信装置の構成の一例を示す図である。
【図３】本発明の実施の形態１によるＩＰＴＶサービス事業者、宅内配信装置、および端末間の動作の一例を示すシーケンス図である。
【図４】本発明の実施の形態１による端末の動作の一例を示すフローチャートである。
【図５】本発明の実施の形態１による端末に表示されるＧＵＩ画面の一例を示す図である。
【図６】本発明の実施の形態１による宅内配信装置の動作の一例を示すフローチャートである。
【図７】本発明の実施の形態１による端末の動作の一例を示すフローチャートである。
【図８】本発明の実施の形態１によるＴＶ放送の視聴画面の表示の一例を示す図である。
【図９】本発明の実施の形態１による宅内配信装置の動作の一例を示すフローチャートである。
【図１０】本発明の実施の形態１によるＩＰＴＶサービス事業者、宅内配信装置、および端末間における動作の一例を示すシーケンス図である。
【図１１】本発明の実施の形態１による端末の動作の一例を示すフローチャートである。
【図１２】本発明の実施の形態１による宅内配信装置の動作の一例を示すフローチャートである。
【図１３】本発明の実施の形態２によるＴＶ放送の視聴形態を示す図である。
【図１４】本発明の実施の形態２による宅内配信装置の構成の一例を示す図である。
【図１５】本発明の実施の形態２によるＩＰＴＶサービス事業者、宅内配信装置、および端末間における動作の一例を示すシーケンス図である。
【図１６】本発明の実施の形態２によるＩＰＴＶサービス事業者、宅内配信装置、および端末間における動作の一例を示すシーケンス図である。
【図１７】本発明の実施の形態２による端末に表示されるＧＵＩ画面の一例を示す図である。
【図１８】本発明の実施の形態２によるＴＶ放送の視聴画面の表示の一例を示す図である。
【図１９】前提技術によるＴＶ放送の視聴形態を示す図である。
【発明を実施するための形態】
【００１３】
本発明の実施の形態について、図面に基づいて以下に説明する。
【００１４】
＜前提技術＞
まず、本発明の前提となる技術（前提技術）について説明する。
【００１５】
図１９は、前提技術によるＴＶ放送２３０の視聴形態を示す図である。なお、ＴＶ放送２３０は、ＩＰＴＶサービス事業者２００の独自の通信仕様によって配信されるＴＶ放送の他に、サービス事業者による独自の通信仕様によらない通常の地上デジタル放送も含むものとする。
【００１６】
ユーザ宅１０１に設置されたＧＷ（Gateway）１２０は、アクセスネットワーク２２０を介したＣＤＮ（Contents Delivery Network）２１０と、ＬＡＮインタフェース１１１を介した宅内ネットワーク１１０との間に接続されている。
【００１７】
ＳＴＢ１０２は、ＬＡＮインタフェース１１１を介した宅内ネットワーク１１０と、ＴＶインタフェース１１３を介したＴＶ３４０の外部入力との間に接続されている。ユーザ１００は、ＴＶ３４０の外部入力の対象としてＳＴＢ１０２を選択することによって、ＴＶ放送２３０を視聴することができる。また、ＳＴＢ１０２は、専用リモコン１０３を介して、ユーザ１００によって操作される。
【００１８】
ＩＰＴＶサービス事業者２００から提供されるＴＶ放送２３０は、ＣＤＮ２１０、アクセスネットワーク２２０、およびＧＷ１２０を介してＳＴＢ１０２にて受信される。ＳＴＢ１０２にて受信されたＴＶ放送２３０はＴＶ３４０に出力される。ここで、ＩＰＴＶサービス事業者２００とは、ＩＰを利用してＴＶ放送を配信するサービス事業者のことをいう。
【００１９】
上記の視聴形態では、ＩＰＴＶサービス事業者２００との通信仕様に対応する専用のＳＴＢ１０２のみが、ＩＰＴＶサービス事業者２００からＴＶ放送２３０を受信してＴＶ３４０に出力している。すなわち、宅内ネットワーク１１０には、ＩＰＴＶサービス事業者２００の独自の通信仕様のＴＶ放送２３０が独自の通信仕様のまま通っている。従って、ＩＰＴＶサービス事業者２００から提供される複数の番組を同一のユーザ宅１０１内で同時に視聴するためには、各ＴＶ３４０に接続する複数のＳＴＢ１０２が必要であり、ＳＴＢ１０２が接続されていないＴＶ３４０ではＩＰＴＶサービス事業者２００から提供されるＴＶ放送２３０を視聴することができないという問題がある。
【００２０】
本発明は、このような問題を解決するためになされたものであり、以下にその詳細について説明する。
【００２１】
＜実施の形態１＞
図１は、本発明の実施の形態１によるＴＶ放送２３０の視聴形態を示す図である。なお、本実施の形態１ではＩＰＴＶサービス事業者２００を一例として説明するが、ＩＰＴＶに限るものではない。例えばケーブルＴＶ等、従来であれば専用のＳＴＢを設置しなければ視聴できない形態で放送されるものであれば適用可能である。
【００２２】
ユーザ宅１０１に設置されたＧＷ１２０は、アクセスネットワーク２２０（外部ネットワーク）を介したＣＤＮ２１０と、ＬＡＮインタフェース１１１を介した宅内ネットワーク１１０との間に接続されている。
【００２３】
宅内配信装置１３０は、ＬＡＮインタフェース１１１を介して宅内ネットワーク１１０に接続されている。信号授受の機能的には、宅内配信装置１３０は、後述するように、アクセスネットワーク２２０を介したＣＤＮ２１０と、ＬＡＮインタフェース１１１を介した宅内ネットワーク１１０とに接続されている。
【００２４】
無線ＬＡＮアクセスポイント１４０は、ＬＡＮインタフェース１１１を介して宅内ネットワーク１１０に接続されている。
【００２５】
ＰＣ３００は、ＬＡＮインタフェース１１１を介して宅内ネットワーク１１０に接続されている。
【００２６】
タブレット端末３１０は、無線ＬＡＮインタフェース１１２および無線ＬＡＮアクセスポイント１４０を介して宅内ネットワーク１１０に接続されている。
【００２７】
スマートフォン３２０は、無線ＬＡＮインタフェース１１２および無線ＬＡＮアクセスポイント１４０を介して宅内ネットワーク１１０に接続されている。
【００２８】
ＴＶアダプタ３３０は、無線ＬＡＮインタフェース１１２および無線ＬＡＮアクセスポイント１４０を介して宅内ネットワーク１１０に接続されている。ＴＶアダプタ３３０は、ＴＶインタフェース１１３を介してＴＶ３４０の外部入力に接続されている。また、ＴＶアダプタ３３０は操作端末１１４と接続されており、ユーザ１００は、操作端末１１４を操作することによってＴＶ３４０に表示されるＧＵＩ（Graphical User Interface）画面に対する操作や、文字入力を行うことができる。
【００２９】
なお、ＴＶアダプタ３３０は、例えば、ＴＶ３４０のＨＤＭＩ（登録商標）端子に挿着するものであってもよい。
【００３０】
宅内配信装置１３０は、ＧＷ１２０を介してＩＰＴＶサービス事業者２００およびＣＤＮと通信を行う。また、宅内配信装置１３０は、宅内ネットワーク１１０を介してＰＣ３００、タブレット端末３１０、スマートフォン３２０、およびＴＶアダプタ３３０と通信を行う。
【００３１】
本発明によれば、以下に詳細に説明するように、ユーザ１００は、宅内ネットワーク１１０に接続されたＰＣ３００、タブレット端末３１０、スマートフォン３２０、およびＴＶアダプタ３３０を端末として、ＩＰＴＶサービス事業者２００から提供されるＴＶ放送２３０を、宅内配信装置１３０を介して視聴することができる。なお、以下では、ＰＣ３００、タブレット端末３１０、スマートフォン３２０、およびＴＶアダプタ３３０をまとめて端末ともいう。また、各端末は、ＷＷＷブラウザの機能を搭載し、ＤＬＮＡ（Digital Living Network Alliance）（登録商標）に対応しているものとする。
【００３２】
次に、宅内配信装置１３０の構成について説明する。
【００３３】
図２は、宅内配信装置１３０の構成の一例を示す図である。なお、以下では特に断りがない限り、ＴＶ放送２３０はＩＰＴＶサービス事業者から提供されるＴＶ放送であるものとする。
【００３４】
図２に示すように、宅内配信装置１３０は、ＴＳ（Transport Stream）受信部４０１、ＣＡＳ（Conditional Access System）／ＤＲＭ（Digital Rights management）部４０２、ＰＳＩ（Program Specific Information）／ＳＩ（Service Information）管理部４０３、チャンネル構成情報記憶部４０４、ＴＳ配信部４０５、選局制御部４０６、ＷＷＷ（World Wide Web）サーバ４０７、ＣＧＩ（Common Gateway Interface）部４０８、統合番組表記憶部４０９、全体管理部４１０とを備えている。
【００３５】
ＴＳ受信部４０１は、ＩＰＴＶサービス事業者２００からＴＳ形式で配信されたＴＶ放送２３０（第１の信号）を、ＧＷ１２０を介して受信する。このとき受信したＴＶ放送２３０には、ＩＰＴＶサービス事業者２００の独自の通信仕様によって暗号化されている。
【００３６】
ＣＡＳ／ＤＲＭ部４０２は、ユーザ１００が正規の視聴者であるか否かを識別する。ここで、正規の視聴者とは、ＩＰＴＶサービス事業者２００と視聴契約を結んでいる視聴者のことをいう。そして、正規の視聴者であればＴＶ放送２３０の暗号を解く。すなわち、ＣＡＳ／ＤＲＭ部４０２は、ＴＳ受信部４０１で受信されたＴＶ放送２３０（第１の信号）を、暗号が解かれたＴＶ放送２３０（第２の信号）に変換する変換部としての機能を有している。
【００３７】
ＰＳＩ／ＳＩ管理部４０３は、ＴＶ放送２３０に含まれる番組に関する情報を保持・管理している。具体的には、宅内ネットワーク１１０に接続された各端末からの要求に応じて、番組表を配信している。
【００３８】
チャンネル構成情報記憶部４０４は、ＩＰＴＶサービス事業者２００が提供するＴＶ放送２３０（第１の信号）に含まれるチャンネルの構成を示すチャンネル構成情報を記憶している。チャンネル構成情報記憶部４０４は、例えば、ＩＰＴＶサービス事業者２００から定期的に配信されるチャンネル構成情報を記憶・更新する。
【００３９】
ＴＳ配信部４０５は、全体管理部４１０から指示された端末に対してＴＶ放送２３０を配信する。このとき、ＴＳ配信部４０５からは、暗号が解かれたＴＶ放送２３０（第２の信号）が配信される。
【００４０】
選局制御部４０６は、端末が所望のチャンネルを指定したときに、ＩＰＴＶサービス事業者２００に対して当該所望のチャンネルの番組を配信するように要求する。すなわち、選局制御部４０６は、端末から指定されたチャンネルの番組を配信するようアクセスネットワーク２２０（外部ネットワーク）に要求する。
【００４１】
ＷＷＷサーバ４０７は、端末に搭載されているＷＷＷブラウザと通信するための機能を有している。また、ＣＧＩ部４０８は、ＷＷＷサーバ４０７と連携して端末に所定のＧＵＩ画面を提供する。ＷＷＷサーバ４０７およびＣＧＩ部４０８の詳細については、後述する。
【００４２】
統合番組表記憶部４０９は、ＩＰＴＶサービス事業者２００から提供されるＴＶ放送２３０に関する番組表の情報と、地上デジタル放送に関する番組表の情報とを記憶している。端末のユーザ１００は、ＴＶ放送２３０を視聴中か否かに関わらず、任意のタイミングで統合番組表記憶部４０９に記憶されている番組表を端末で閲覧することができる。
【００４３】
全体管理部４１０は、どの端末からＴＶ放送２３０の配信要求を受付けているのかを管理している。また、各端末に配信しているＴＶ放送２３０のチャンネルを管理している。また、ＴＳ配信部４０５に対して、端末へのＴＶ放送２３０の配信を指示する。すなわち、全体管理部４１０は、各端末によるチャンネルの指定に基づき、複数の番組を指定した各端末に配信するよう配信部を制御する。このとき、全体管理部４１０は、ＤＬＮＡに基づいて配信するよう制御する。
【００４４】
上記より、宅内配信装置１３０にて受信されるＴＶ放送２３０には、ＩＰＴＶサービス事業者２００から提供される暗号化されたＴＶ放送（受信者を選別する通信様式のＴＶ放送）と、通常の地上デジタル放送とが含まれている。一方、宅内配信装置１３０から各端末に配信されるＴＶ放送２３０には、ＩＰＴＶサービス事業者２００から提供される暗号化されたＴＶ放送と、通常の地上デジタル放送と、ＩＰＴＶサービス事業者２００から提供され暗号が解かれたＴＶ放送（受信者を選別しない通信様式のＴＶ放送）とが含まれている。すなわち、宅内配信装置１３０は、受信者を選別する通信様式と、受信者を選別しない通信様式とを含む外部ネットワーク（ＣＤＮ２１０、アクセスネットワーク２２０）と、受信者を選別する通信仕様と、受信者を選別しない通信仕様とを含む宅内ネットワーク１１０とに接続され、外部ネットワークから受信した受信者を選別する通信仕様の信号を、受信者を選別しない通信仕様の信号に変換して宅内ネットワーク１１０に配信する。
【００４５】
なお、ＩＰＴＶサービス事業者２００から提供される暗号によるＴＶ放送は、暗号が解かれた後は、各端末が視聴可能な通信仕様であり、本実施の形態１ではＤＬＮＡでの利用であるものとする。暗号が解かれたＴＶ放送は、各端末が視聴可能な通信仕様に再暗号化されてもよい。また、各端末が視聴可能な通信仕様であれば、ＤＬＮＡを利用しなくてもよい。
【００４６】
次に、宅内配信装置１３０の動作について、図３〜１２を用いて詳細に説明する。
【００４７】
図３は、各端末から宅内配信装置１３０に対して配信要求があった場合における、ＩＰＴＶサービス事業者、宅内配信装置、および端末間の動作の一例を示すシーケンス図である。
【００４８】
図３に示すように、ＰＣ３００は、宅内配信装置１３０と通信を行い、宅内配信装置１３０のチャンネル構成情報記憶部４０４からチャンネル構成情報を取得し、取得したチャンネル構成情報に基づいて視聴対象となるＴＶ放送２３０の番組のチャンネルを指定する。図３では、チャンネルの番号１００（１００ＣＨ）が指定されている。
【００４９】
次いで、ＰＣ３００は、宅内配信装置１３０に対して、１００ＣＨのＴＶ放送２３０の配信を開始するよう要求する。
【００５０】
宅内配信装置１３０は、ＩＰＴＶサービス事業者２００に対して、ＩＰＴＶサービス事業者２００が規定する通信仕様に基づく手順を実施し、１００ＨのＴＶ放送２３０を配信するよう要求する。
【００５１】
ＩＰＴＶサービス事業者２００は、宅内配信装置１３０からの配信要求に応じて、１００ＣＨのＴＶ放送２３０を、ＣＤＮ２１０を介して宅内配信装置１３０にストリーム配信する。
【００５２】
宅内配信装置１３０は、ＩＰＴＶサービス事業者２００からＣＤＮ２１０を介して配信された１００ＣＨのＴＶ放送２３０を受信すると、ＰＣ３００に対して１００ＣＨのＴＶ放送２３０をストリーム配信する。このとき、宅内配信装置１３０では、ＩＰＴＶサービス事業者２００から受信した暗号化された１００ＣＨのＴＶ放送２３０の暗号を解いたうえで、ＰＣ３００に配信（再配信）している。
【００５３】
ＰＣ３００は、宅内配信装置１３０から受信した１００ＣＨのＴＶ放送２３０をストリーム再生し、ＰＣ３００のディスプレイに出力する。ＰＣ３００のユーザ１００は、ＰＣ３００のディスプレイに出力された１００ＣＨのＴＶ放送２３０を視聴することができる。
【００５４】
また、図３に示すように、ＰＣ３００にＴＶ放送２３０が配信されている状態で、タブレット端末３１０は、宅内配信装置１３０と通信を行い、宅内配信装置１３０のチャンネル構成情報記憶部４０４からチャンネル構成情報を取得し、取得したチャンネル構成情報に基づいて視聴対象となるＴＶ放送２３０の番組のチャンネルを指定する。図３では、チャンネルの番号２００（２００ＣＨ）が指定されている。
【００５５】
次いで、タブレット端末３１０は、宅内配信装置１３０に対して、２００ＣＨのＴＶ放送２３０の配信を開始するよう要求する。
【００５６】
宅内配信装置１３０は、ＩＰＴＶサービス事業者２００に対して、ＩＰＴＶサービス事業者２００が規定する通信仕様に基づく手順を実施し、２００ＨのＴＶ放送２３０を配信するよう要求する。
【００５７】
ＩＰＴＶサービス事業者２００は、宅内配信装置１３０からの配信要求に応じて、２００ＣＨのＴＶ放送２３０を、ＣＤＮ２１０を介して宅内配信装置１３０にストリーム配信する。
【００５８】
宅内配信装置１３０は、ＩＰＴＶサービス事業者２００からＣＤＮ２１０を介して配信された２００ＣＨのＴＶ放送２３０を受信すると、タブレット端末３１０に対して２００ＣＨのＴＶ放送２３０をストリーム配信する。このとき、宅内配信装置１３０では、ＩＰＴＶサービス事業者２００から受信した暗号化された２００ＣＨのＴＶ放送２３０の暗号を解いたうえで、タブレット端末３１０に配信（再配信）している。
【００５９】
タブレット端末３１０は、宅内配信装置１３０から受信した２００ＣＨのＴＶ放送２３０をストリーム再生し、タブレット端末３１０のディスプレイに出力する。タブレット端末３１０のユーザ１００は、タブレット端末３１０のディスプレイに出力された２００ＣＨのＴＶ放送２３０を視聴することができる。
【００６０】
また、図３に示すように、ＰＣ３００およびタブレット端末３１０にＴＶ放送２３０が同時に配信されている状態で、スマートフォン３２０は、宅内配信装置１３０と通信を行い、宅内配信装置１３０のチャンネル構成情報記憶部４０４からチャンネル構成情報を取得し、取得したチャンネル構成情報に基づいて視聴対象となるＴＶ放送２３０の番組のチャンネルを指定する。図３では、チャンネルの番号３００（３００ＣＨ）が指定されている。
【００６１】
次いで、スマートフォン３２０は、宅内配信装置１３０に対して、３００ＣＨのＴＶ放送２３０の配信を開始するよう要求する。
【００６２】
宅内配信装置１３０は、ＩＰＴＶサービス事業者２００に対して、ＩＰＴＶサービス事業者２００が規定する通信仕様に基づく手順を実施し、３００ＨのＴＶ放送２３０を配信するよう要求する。
【００６３】
ＩＰＴＶサービス事業者２００は、宅内配信装置１３０からの配信要求に応じて、３００ＣＨのＴＶ放送２３０を、ＣＤＮ２１０を介して宅内配信装置１３０にストリーム配信する。
【００６４】
宅内配信装置１３０は、ＩＰＴＶサービス事業者２００からＣＤＮ２１０を介して配信された３００ＣＨのＴＶ放送２３０を受信すると、スマートフォン３２０に対して３００ＣＨのＴＶ放送２３０をストリーム配信する。このとき、宅内配信装置１３０では、ＩＰＴＶサービス事業者２００から受信した暗号化された３００ＣＨのＴＶ放送２３０の暗号を解いたうえで、スマートフォン３２０に配信（再配信）している。
【００６５】
スマートフォン３２０は、宅内配信装置１３０から受信した３００ＣＨのＴＶ放送２３０をストリーム再生し、スマートフォン３２０のディスプレイに出力する。スマートフォン３２０のユーザ１００は、スマートフォン３２０のディスプレイに出力された３００ＣＨのＴＶ放送２３０を視聴することができる。
【００６６】
また、図３に示すように、ＰＣ３００、タブレット端末３１０、およびスマートフォン３２０にＴＶ放送２３０が同時に配信されている状態で、ＴＶアダプタ３３０は、宅内配信装置１３０と通信を行い、宅内配信装置１３０のチャンネル構成情報記憶部４０４からチャンネル構成情報を取得し、取得したチャンネル構成情報に基づいて視聴対象となるＴＶ放送２３０の番組のチャンネルを指定する。図３では、チャンネルの番号４００（４００ＣＨ）が指定されている。
【００６７】
次いで、ＴＶアダプタ３３０は、宅内配信装置１３０に対して、４００ＣＨのＴＶ放送２３０の配信を開始するよう要求する。
【００６８】
宅内配信装置１３０は、ＩＰＴＶサービス事業者２００に対して、ＩＰＴＶサービス事業者２００が規定する通信仕様に基づく手順を実施し、４００ＨのＴＶ放送２３０を配信するよう要求する。
【００６９】
ＩＰＴＶサービス事業者２００は、宅内配信装置１３０からの配信要求に応じて、４００ＣＨのＴＶ放送２３０を、ＣＤＮ２１０を介して宅内配信装置１３０にストリーム配信する。
【００７０】
宅内配信装置１３０は、ＩＰＴＶサービス事業者２００からＣＤＮ２１０を介して配信された４００ＣＨのＴＶ放送２３０を受信すると、ＴＶアダプタ３３０に対して４００ＣＨのＴＶ放送２３０をストリーム配信する。このとき、宅内配信装置１３０では、ＩＰＴＶサービス事業者２００から受信した暗号化された４００ＣＨのＴＶ放送２３０の暗号を解いたうえで、ＴＶアダプタ３３０に配信（再配信）している。
【００７１】
ＴＶアダプタ３３０は、宅内配信装置１３０から受信した４００ＣＨのＴＶ放送２３０をストリーム再生し、ＴＶインタフェース１１３に出力する。ＴＶアダプタ３３０のユーザ１００は、ＴＶ３４０のディスプレイに出力された４００ＣＨのＴＶ放送２３０を視聴することができる。
【００７２】
上記より、宅内ネットワーク１１０内では、ＩＰＴＶサービス事業者２００から提供される複数のＴＶ放送２３０の同時配信が可能となる。また、ＰＣ３００、タブレット端末３１０、スマートフォン３２０、およびＴＶアダプタ３３０の各々において、ＩＰＴＶサービス事業者２００から提供されたＴＶ放送２３０を同時に視聴することができる。
【００７３】
なお、上記において、宅内配信装置１３０は、各端末で復号することができる暗号で再暗号化した後にＴＶ放送２３０を配信するようにしてもよい。
【００７４】
以下では、端末および宅内配信装置１３０における動作の詳細について説明する。
【００７５】
図４は、端末における起動時の動作の一例を示すフローチャートである。
【００７６】
ステップＳ４１において、ＷＷＷブラウザを起動すると、図５の左上に示す図においてＧＵＩ画面３０２が表示されていない状態のＷＷＷブラウザ３０１の画面が表示される。次いで、図５に示すＷＷＷブラウザ３０１の「ＵＲＬ」に、宅内配信装置１３０のＷＷＷサーバ４０７のアドレスを入力し、宅内配信装置１３０に対してメインメニュー画面を送信するよう要求する。
【００７７】
ステップＳ４２において、図５に示すように、端末のＷＷＷブラウザ３０１には、ＧＵＩ画面３０２として宅内配信装置１３０から受信したメインメニュー画面が表示される。
【００７８】
ステップＳ４３において、端末に表示されたメインメニュー画面からユーザ１００が所望する項目が選択される。図５の例では、ユーザ１００によって「ＩＰＴＶ」、「チャンネル一覧を表示する」が順次選択されている。
【００７９】
ステップＳ４４において、ＷＷＷブラウザ３０１には、図５の右下に示す図のような、ＧＵＩ画面３０２として選択されたチャンネル一覧が表示される。
【００８０】
図６は、宅内配信装置１３０における端末がＷＷＷブラウザを起動した時の動作の一例を示すフローチャートである。
【００８１】
ステップＳ６１において、ＷＷＷサーバ４０７は、端末からメインメニュー画面の取得要求を受ける。
【００８２】
ステップＳ６２において、ＷＷＷサーバ４０７は、メインメニュー画面を要求元の端末に送信する。具体的には、ＷＷＷサーバ４０７は、ＧＵＩとしてのメインメニュー画面に相当するＨＴＭＬ形式のデータを送信する。すなわち、ＷＷＷサーバ４０７は、各端末のユーザ１００に対して、各種の設定や操作に必要なユーザインタフェースをＧＵＩとしてＷＷＷブラウザを介して提供する。
【００８３】
図７は、端末における番組視聴時の動作の一例を示すフローチャートである。
【００８４】
ステップＳ７１において、ＩＰＴＶのチャンネル一覧を表示する。
【００８５】
ステップＳ７２において、ユーザ１００によって、チャンネル一覧から所望のチャンネルが選択される。
【００８６】
ステップＳ７３において、宅内配信装置１３０に対して、選択したチャンネルのＴＶ放送２３０を配信するよう要求する。
【００８７】
ステップＳ７４において、宅内配信装置１３０から要求したＴＶ放送２３０の番組が配信される。
【００８８】
ステップＳ７５において、宅内配信装置１３０から配信されたＴＶ放送２３０の番組を表示する。
【００８９】
図８は、端末におけるＴＶ放送２３０の番組の視聴画面の表示の一例を示す図である。
【００９０】
図８に示すように、ＷＷＷブラウザ３０１のＧＵＩ画面３０２には、ＩＰＴＶサービス事業者２００から提供されたＴＶ放送２３０の番組が表示される。
【００９１】
図８において、番組が表示されている画面の右上部には、「Ｓｔｅｒｅｏ（ステレオ音声）」、「ＳＤ（Standard Definition:標準画質）」、「１００ＣＨ（チャンネルの番号が１００）」といった、表示番組に関する情報が表示されている。
【００９２】
また、図８の下部には、「Ｆｕｌｌ  Ｓｃｒｅｅｎ（全画面表示）」、「Ｄｏｗｎ  ＣＨ＃（チャンネルの番号を下げる）」、「Ｕｐ  ＣＨ＃（チャンネルの番号を上げる）」、「Ｍａｉｎ  Ｍｅｎｕ（メインメニュー画面を表示）」といった、各種操作に関する情報が表示されている。ここで、「ＣＨ＃」は、チャンネルの番号を示している。
【００９３】
また、図８の右部には、所望のチャンネルの番号を入力したり、チャンネルの番号を数字選択によって入力したりするための情報が表示されている。
【００９４】
図９は、宅内配信装置１３０における端末が番組視聴する時の動作の一例を示すフローチャートである。
【００９５】
ステップＳ９１において、全体管理部４１０は、端末からチャンネルが指定されたＴＶ放送２３０の配信要求を受ける。
【００９６】
ステップＳ９２において、ＣＧＩ部４０８は、端末から要求されたチャンネルの情報に基づいて、例えば図８に示すようなＧＵＩ画面３０２を端末のＷＷＷブラウザに送信するように、ＷＷＷサーバ４０７に対して指示を行う。すなわち、ＣＧＩ部は、端末から指定されたチャンネルの情報に基づいて、ＷＷＷサーバ４０７と連携して所定のＧＵＩ画面を指定された端末に提供する。
【００９７】
また、選局制御部４０６は、指定されたチャンネルを選局し、ＩＰＴＶサービス事業者２００に対して当該チャンネルに対応するＴＶ放送２３０の番組の配信を要求する。ＴＳ受信部４０１は、ＩＰＴＶサービス事業者２００から配信されたＴＶ放送２３０の番組の受信を開始する。
【００９８】
ステップＳ９３において、全体管理部４１０は、ＴＳ受信部４０１にて受信し、ＣＡＳ／ＤＲＭ部４０２にて暗号が解かれたＴＶ放送２３０の番組を要求元の端末に配信するようにＴＳ配信部４０５を制御する。
【００９９】
図１０は、各端末から宅内配信装置１３０に対して配信の停止要求があった場合における、ＩＰＴＶサービス事業者、宅内配信装置、および端末間の動作の一例を示すシーケンス図である。
【０１００】
図１０に示すように、ＰＣ３００、タブレット端末３１０、スマートフォン３２０、およびＴＶアダプタ３３０にＴＶ放送２３０が同時に配信されている状態で、ＴＶアダプタ３３０のユーザ１００が４００ＣＨのＴＶ放送２３０の視聴の終了をＴＶアダプタ３３０に指示すると、ＴＶアダプタ３３０は宅内配信装置１３０に対して４００ＣＨのＴＶ放送２３０の配信停止を要求する。
【０１０１】
宅内配信装置１３０は、ＴＶアダプタ３３０からの配信停止の要求に応じて、ＴＶアダプタ３３０に配信していた４００ＣＨのＴＶ放送２３０の配信を停止する。同時に、宅内配信装置１３０は、ＩＰＴＶサービス事業者２００に対して、ＩＰＴＶサービス事業者２００が規定する通信仕様に基づく手順を実施し、４００ＣＨのＴＶ放送２３０の配信停止を要求する。
【０１０２】
ＩＰＴＶサービス事業者２００は、宅内配信装置１３０からの配信停止の要求に応じて、ＣＤＮ２１０を介した宅内配信装置１３０に対する４００ＣＨのＴＶ放送２３０のストリーム配信を停止する。
【０１０３】
図１０に示すように、ＰＣ３００、タブレット端末３１０、およびスマートフォン３２０にＴＶ放送２３０が同時に配信されている状態で、スマートフォン３２０のユーザ１００が３００ＣＨのＴＶ放送２３０の視聴の終了をスマートフォン３２０に指示すると、スマートフォン３２０は宅内配信装置１３０に対して３００ＣＨのＴＶ放送２３０の配信停止を要求する。
【０１０４】
宅内配信装置１３０は、スマートフォン３２０からの配信停止の要求に応じて、スマートフォン３２０に配信していた３００ＣＨのＴＶ放送２３０の配信を停止する。同時に、宅内配信装置１３０は、ＩＰＴＶサービス事業者２００に対して、ＩＰＴＶサービス事業者２００が規定する通信仕様に基づく手順を実施し、３００ＣＨのＴＶ放送２３０の配信停止を要求する。
【０１０５】
ＩＰＴＶサービス事業者２００は、宅内配信装置１３０からの配信停止の要求に応じて、ＣＤＮ２１０を介した宅内配信装置１３０に対する３００ＣＨのＴＶ放送２３０のストリーム配信を停止する。
【０１０６】
図１０に示すように、ＰＣ３００およびタブレット端末３１０にＴＶ放送２３０が同時に配信されている状態で、タブレット端末３１０のユーザ１００が２００ＣＨのＴＶ放送２３０の視聴の終了をタブレット端末３１０に指示すると、タブレット端末３１０は宅内配信装置１３０に対して２００ＣＨのＴＶ放送２３０の配信停止を要求する。
【０１０７】
宅内配信装置１３０は、タブレット端末３１０からの配信停止の要求に応じて、タブレット端末３１０に配信していた２００ＣＨのＴＶ放送２３０の配信を停止する。同時に、宅内配信装置１３０は、ＩＰＴＶサービス事業者２００に対して、ＩＰＴＶサービス事業者２００が規定する通信仕様に基づく手順を実施し、２００ＣＨのＴＶ放送２３０の配信停止を要求する。
【０１０８】
ＩＰＴＶサービス事業者２００は、宅内配信装置１３０からの配信停止の要求に応じて、ＣＤＮ２１０を介した宅内配信装置１３０に対する２００ＣＨのＴＶ放送２３０のストリーム配信を停止する。
【０１０９】
図１０に示すように、ＰＣ３００にＴＶ放送２３０が同時に配信されている状態で、ＰＣ３００のユーザ１００が１００ＣＨのＴＶ放送２３０の視聴の終了をＰＣ３００に指示すると、ＰＣ３００は宅内配信装置１３０に対して１００ＣＨのＴＶ放送２３０の配信停止を要求する。
【０１１０】
宅内配信装置１３０は、ＰＣ３００からの配信停止の要求に応じて、ＰＣ３００に配信していた１００ＣＨのＴＶ放送２３０の配信を停止する。同時に、宅内配信装置１３０は、ＩＰＴＶサービス事業者２００に対して、ＩＰＴＶサービス事業者２００が規定する通信仕様に基づく手順を実施し、１００ＣＨのＴＶ放送２３０の配信停止を要求する。
【０１１１】
ＩＰＴＶサービス事業者２００は、宅内配信装置１３０からの配信停止の要求に応じて、ＣＤＮ２１０を介した宅内配信装置１３０に対する１００ＣＨのＴＶ放送２３０のストリーム配信を停止する。
【０１１２】
上記より、ＰＣ３００、タブレット端末３１０、スマートフォン３２０、およびＴＶアダプタ３３０の各々のユーザ１００は、他の端末へのＴＶ放送２３０の配信に関係なく、任意にＴＶ放送２３０の配信を停止して視聴を終了することが可能となる。
【０１１３】
以下では、端末および宅内配信装置１３０における動作の詳細について説明する。
【０１１４】
図１１は、端末におけるＴＶ放送２３０の配信停止の動作の一例を示すフローチャートである。
【０１１５】
ステップＳ１１１において、ＷＷＷブラウザ３０１のＧＵＩ画面３０２に、ＩＰＴＶサービス事業者２００から提供されたＴＶ放送２３０の番組が表示されている（図８を参照）。
【０１１６】
ステップＳ１１２において、ユーザ１００からＴＶ放送２３０の視聴を終了（停止）する旨の操作があるか否かの判断を行う。視聴を終了する旨の操作があるまで待機し、当該操作がある場合はステップＳ１１３に移行する。
【０１１７】
ステップＳ１１３において、宅内配信装置１３０に対して、ＴＶ放送２３０の配信を停止するよう要求する。
【０１１８】
ステップＳ１１４において、宅内配信装置１３０からのＴＶ放送２３０の配信が停止すると、ＷＷＷブラウザ３０１のＧＵＩ画面３０２にＩＰＴＶのチャンネル一覧を表示する（図５の右下の図を参照）。
【０１１９】
図１２は、宅内配信装置１３０における端末がＴＶ放送２３０の配信停止を要求した時の動作の一例を示すフローチャートである。
【０１２０】
ステップＳ１２１において、ＩＰＴＶサービス事業者２００から提供されたＴＶ放送２３０を端末に対して配信している。
【０１２１】
ステップＳ１２２において、端末からＴＶ放送２３０の配信停止の要求があるか否かの判断を行う。ＴＶ放送２３０の配信停止の要求があるまで待機し、当該配信停止の要求がある場合はステップＳ１２３に移行する。
【０１２２】
ステップＳ１２３において、配信停止の要求元となる端末に対するＴＶ放送２３０の配信を停止する。具体的には、全体管理部４１０が、配信停止の要求元となる端末にＴＶ放送２３０を配信しないようにＴＳ配信部４０５を制御する。
【０１２３】
ステップＳ１２４において、ステップＳ１２３にて配信を停止した端末以外に、当該配信を停止した端末に配信していたＴＶ放送２３０のチャンネルと同一のチャンネルのＴＶ放送２３０を配信している他の端末が存在するか否かを判断する。同一チャンネルのＴＶ放送２３０を配信している他の端末が存在する場合は、当該他の端末に対するＴＶ放送２３０の配信を継続する。一方、同一チャンネルのＴＶ放送２３０を配信している他の端末が存在しない場合は、ステップＳ１２５に移行する。
【０１２４】
ステップＳ１２５において、ステップＳ１２３にて停止したチャンネルのＴＶ放送２３０の提供を停止するようＩＰＴＶサービス事業者２００に要求し、ＩＰＴＶサービス事業者２００からの前記チャンネルのＴＶ放送２３０の提供を停止する。
【０１２５】
上記の図１０〜１２では、ユーザ１００から視聴終了の操作があった場合にＴＶ放送２３０の配信を停止する場合について説明したが、ユーザ１００が他のチャンネルを選択する操作を行った場合、あるいは他の画面に遷移する操作（例えば、図８においてメインメニュー画面を表示させる操作）を行った場合であっても、当該操作を行った端末へのＴＶ放送２３０の配信が停止される。
【０１２６】
以上のことから、本実施の形態１によれば、ＩＰＴＶサービス事業者２００から提供される複数のＴＶ放送２３０の同時配信が可能となり、ＰＣ３００、タブレット端末３１０、スマートフォン３２０、およびＴＶアダプタ３３０の各々において、ＩＰＴＶサービス事業者２００から提供されたＴＶ放送２３０を同時に視聴することができる。また、ＰＣ３００、タブレット端末３１０、スマートフォン３２０、およびＴＶアダプタ３３０の各々のユーザ１００は、他の端末へのＴＶ放送２３０の配信に関係なく、任意にＴＶ放送２３０の配信を停止して視聴を終了することが可能となる。すなわち、ＩＰＴＶサービス事業者２００から配信されたＴＶ放送２３０を宅内ネットワークから簡易に視聴することが可能となる。
【０１２７】
また、ユーザ宅１０１に専用のＳＴＢが必要な既設の宅内ネットワーク（例えば、図１９に示す宅内ネットワーク１１０）が存在する場合には、当該既設の宅内ネットワークに宅内配信装置１３０を接続するだけで実施の形態１と同様の効果が得られる。すなわち、ＳＴＢを接続している端末ではこれまで通りサービス事業者から配信されるＴＶ放送２３０を視聴することができるとともに、ＳＴＢを接続していない端末においてもサービス事業者から配信されるＴＶ放送２３０を視聴することができる。このように、受信者を選別する通信仕様を含む宅内既設ネットワークが存在する場合において、当該宅内既設ネットワークに宅内配信装置１３０を接続することによって、宅内既設ネットワークを上述した汎用的な宅内ネットワーク１１０としても機能させてＴＶ放送２３０を配信することができる。
【０１２８】
また、宅内配信装置１３０における新たな機能の拡張や既存の機能の修正は、端末が宅内配信装置１３０を制御することによって行うことができる。ここでいう機能の拡張や修正とは、例えば図５，８に示すようなＧＵＩ画面３０２のデザインの修正や選択ボタンの追加等をいう。
【０１２９】
具体的には、端末は、ＷＷＷブラウザ３０１を使用して宅内配信装置１３０を制御するための制御コードを含むＨＴＭＬ文書を保持するＷＷＷサーバ４０７にアクセスする。ＷＷＷブラウザ３０１は、ＷＷＷサーバ４０７から取得したＨＴＭＬ文書中に宅内配信装置１３０を制御するための制御コードが含まれている場合は、ＷＷＷサーバ４０７に対して宅内配信装置１３０の制御要求を行う。当該制御要求は、ＷＷＷサーバ４０７からＣＧＩ部４０８に送られ、ＣＧＩ部４０８に制御実行指示が与えられる。ＣＧＩ部４０８は、与えられた制御実行指示に基づいて宅内配信装置１３０を制御する。
【０１３０】
このように、新たな機能の拡張や既存の機能の修正を宅内配信装置１３０で行うことによって、端末はＷＷＷブラウザ３０１以外のユーザインタフェースとしての専用のプログラムを搭載する必要がなくなり、機能の拡張や修正に伴ってプログラムを端末ごとに更新する必要がなくなる。
【０１３１】
＜実施の形態２＞
実施の形態１では、ＩＰＴＶサービス事業者２００が提供するＴＶ放送２３０を宅内配信装置１３０がユーザ宅１０１内の各端末に配信し、各端末でＴＶ放送２３０を視聴することについて説明した。本発明の実施の形態２では、ＩＰＴＶサービス事業者２００が提供するＴＶ放送２３０を記憶し、記憶したＴＶ放送２３０を各端末に配信することについて説明する。
【０１３２】
図１３は、本実施の形態２によるＴＶ放送２３０の視聴形態を示す図である。
【０１３３】
図１３に示すように、本実施の形態２では、宅内配信装置１３０に記憶装置１５０を接続していることを特徴としている。その他の構成および動作は、実施の形態１と同様であるため、ここでは説明を省略する。
【０１３４】
ＩＰＴＶサービス事業者２００から提供されたＴＶ放送２３０は、記憶装置１５０に記憶することができる。
【０１３５】
宅内ネットワーク１１０上のＰＣ３００、タブレット端末３１０、スマートフォン３２０、およびＴＶアダプタ３３０は、記憶装置１５０に記憶されている録画番組１５１（図１４を参照）を、宅内配信装置１３０からの配信によって視聴することができる。
【０１３６】
なお、スクランブル放送などの暗号で保護されたＴＶ放送２３０を録画する場合は、全体管理部４１０にて再暗号化した後に記憶装置１５０に記憶する。端末に配信する際は、端末で復号できる暗号で再暗号化してから配信する。
【０１３７】
また、記憶装置１５０は、ユーザ１００が端末から録画予約したＴＶ放送２３０を録画してもよく、ユーザ１００が端末で視聴中のＴＶ放送２３０を録画してもよく、あるいは放送される全てのチャンネルのＴＶ放送２３０を一定期間録画してもよい。
【０１３８】
次に、宅内配信装置１３０の構成について説明する。
【０１３９】
図１４は、宅内配信装置１３０の構成の一例を示す図である。
【０１４０】
図１４に示すように、本実施の形態２による宅内配信装置１３０は、録画制御部４１１と、予約情報記憶部４１２とを備えることを特徴としている。その他の構成および動作は、実施の形態１と同様であるため、ここでは説明を省略する。
【０１４１】
録画制御部４１１は、ＴＳ受信部４０１にて受信され、ＣＡＳ／ＤＲＭ部４０２にて暗号化が解かれたＩＰＴＶサービス事業者２００から提供されたＴＶ放送２３０（受信者を選別しない通信仕様の信号）を、録画番組１５１として記憶装置１５０に記憶（録画）するための制御を行う。このとき、録画番組１５１に関する情報である録画番組情報１５２も記憶装置１５０に記憶される。ここで、録画番組情報１５２としては、番組を録画した年月日、番組のチャンネル番号、タイトル等、ユーザ１００が録画番組１５１の内容を把握しやすい情報が挙げられる。録画番組情報１５２は、記憶装置１５０に録画番組１５１が新たに追加して記憶されるか、あるいは録画番組１５１が削除されるかされるごとに更新される。
【０１４２】
全体管理部４１０は、記憶装置１５０に記憶された録画番組情報１５２に基づいて、記憶装置１５０から録画番組１５１を読み出したり、削除したりする。
【０１４３】
予約情報記憶部４１２は、ユーザ１００が端末から録画予約をした番組の情報を保持・管理している。また、予約情報記憶部４１２は、端末がＷＷＷブラウザ３０１を起動させている状態であれば、ユーザ１００が端末から視聴予約をした番組の情報を保持・管理することもできる。
【０１４４】
次に、宅内配信装置１３０の動作について、図１５〜１８を用いて詳細に説明する。
【０１４５】
図１５は、各端末から宅内配信装置１３０に対して配信要求があった場合における、ＩＰＴＶサービス事業者、宅内配信装置、および端末間の動作の一例を示すシーケンス図である。
【０１４６】
図１５に示すように、ＰＣ３００は、宅内配信装置１３０から配信された１００ＣＨのＴＶ放送２３０をディスプレイに出力している。
【０１４７】
また、タブレット端末３１０は、宅内配信装置１３０から配信された２００ＣＨのＴＶ放送２３０をディスプレイに出力している。
【０１４８】
また、スマートフォン３２０は、宅内配信装置１３０から配信された３００ＣＨのＴＶ放送２３０をディスプレイに出力している。
【０１４９】
上記のＰＣ３００、タブレット端末３１０、およびスマートフォン３２０における視聴に関する動作は、実施の形態１（図３を参照）と同様であるため、詳細な説明を省略する。
【０１５０】
ＴＶアダプタ３３０は、宅内配信装置１３０と通信を行い、記憶装置１５０に記憶されている録画番組情報１５２を取得し、取得した録画番組情報１５２に基づいて視聴対象となるＴＶ放送２３０の番組を指定する。具体的には、図１７に示すように、端末でＷＷＷブラウザ３０１を起動してメインメニュー画面を表示させ、メインメニュー画面から「録画一覧を表示する」を選択することによって、記憶装置１５０に記憶されている録画番組の一覧を表示する。図１７に示す例では、録画番号「０００１」の録画番組が選択されている。
【０１５１】
なお、図１７に示すＷＷＷブラウザ３０１の起動、ＧＵＩ画面３０２の表示に関する動作は、実施の形態１と同様である。例えば、図１７に示す録画番組の一覧は、ＷＷＷサーバ４０７が録画番組情報１５２に基づいて生成する。
【０１５２】
次いで、ＴＶアダプタ３３０は、宅内配信装置１３０に対して、録画番号「０００１」の録画番組１５１の配信を要求する。
【０１５３】
宅内配信装置１３０は、ＴＶアダプタ３３０の配信要求に応じて、記憶装置１５０に記憶されている録画番号「０００１」の録画番組１５１をＴＶアダプタ３３０にストリーム配信する。
【０１５４】
ＴＶアダプタ３３０は、宅内配信装置１３０から受信した録画番号「０００１」の録画番組１５１をストリーム再生し、ＴＶインタフェース１１３に出力する。ＴＶアダプタ３３０のユーザ１００は、ＴＶ３４０のディスプレイに出力された４００ＣＨのＴＶ放送２３０を視聴することができる。
【０１５５】
上記より、宅内ネットワーク１１０内では、ＩＰＴＶサービス事業者２００から提供される複数のＴＶ放送２３０の同時配信が可能となるとともに、記憶装置１５０に記憶された録画番組１５１の配信も可能となる。また、ＰＣ３００、タブレット端末３１０、スマートフォン３２０、およびＴＶアダプタ３３０の各々において、ＩＰＴＶサービス事業者２００から提供されたＴＶ放送２３０や記憶装置１５０に記憶された録画番組１５１を同時に視聴することができる。
【０１５６】
図１６は、各端末から宅内配信装置１３０に対して配信の停止要求があった場合における、ＩＰＴＶサービス事業者、宅内配信装置、および端末間の動作の一例を示すシーケンス図である。
【０１５７】
図１６に示すように、ＰＣ３００、タブレット端末３１０、およびスマートフォン３２０にＴＶ放送２３０が同時に配信され、ＴＶアダプタ３３０に記憶装置１５０に記憶されている録画番組１５１（録画番号「０００１」）が配信されている状態で、ＴＶアダプタ３３０のユーザ１００が録画番号「０００１」の録画番組１５１の視聴の終了をＴＶアダプタ３３０に指示すると、ＴＶアダプタ３３０は宅内配信装置１３０に対して録画番号「０００１」の録画番組１５１のＴＶ放送２３０の配信停止を要求する。
【０１５８】
宅内配信装置１３０は、ＴＶアダプタ３３０からの配信停止の要求に応じて、ＴＶアダプタ３３０に配信していた録画番号「０００１」の録画番組１５１の配信を停止する。
【０１５９】
なお、上記では、ユーザ１００から視聴終了の操作があった場合に録画番組１５１の配信を停止する場合について説明したが、ユーザ１００が他のチャンネルを選択する操作を行った場合、あるいは他の画面に遷移する操作（例えば、図１８においてメインメニュー画面を表示させる操作）を行った場合であっても、当該操作を行った端末への録画番組１５１の配信が停止される。
【０１６０】
また、他の端末であるＰＣ３００、タブレット端末３１０、およびスマートフォン３２０における視聴終了に関する動作は、実施の形態１（図１０を参照）と同様であるため、詳細な説明を省略する。
【０１６１】
上記より、ＰＣ３００、タブレット端末３１０、スマートフォン３２０、およびＴＶアダプタ３３０の各々のユーザ１００は、他の端末へのＴＶ放送２３０あるいは録画番組の配信に関係なく、任意にＴＶ放送２３０あるいは録画番組の配信を停止して視聴を終了することが可能となる。
【０１６２】
以上のことから、本実施の形態２によれば、宅内ネットワーク１１０内では、ＩＰＴＶサービス事業者２００から提供される複数のＴＶ放送２３０の同時配信が可能となるとともに、記憶装置１５０に記憶された録画番組１５１の配信も可能となり、ＰＣ３００、タブレット端末３１０、スマートフォン３２０、およびＴＶアダプタ３３０の各々において、ＩＰＴＶサービス事業者２００から提供されたＴＶ放送２３０や記憶装置１５０に記憶された録画番組１５１を同時に視聴することができる。また、ＰＣ３００、タブレット端末３１０、スマートフォン３２０、およびＴＶアダプタ３３０の各々のユーザ１００は、他の端末へのＴＶ放送２３０あるいは録画番組の配信に関係なく、任意にＴＶ放送２３０あるいは録画番組の配信を停止して視聴を終了することが可能となる。
【０１６３】
なお、図２，１４において、チャンネル構成情報記憶部４０４、統合番組表記憶部４０９、予約情報記憶部４１２、記憶装置１５０は、データを記憶しておく機能を、例えばＨＤＤ（Hard Disk Drive）、ＤＶＤ（Digital Versatile Disk）、半導体メモリなどによって構成してもよい。
【０１６４】
本実施の形態１，２において、宅内配信装置１３０から各端末へのＴＶ放送の配信において、ＤＬＮＡを利用するものとして説明したが、宅内配信装置１３０と各端末とはデータの送受信に、ＨＴＴＰ（Hypertext Transfer Protocol）や、ＲＴＰ（Real-time Transport Protocol）／ＲＴＳＰ（Real-time Streaming Protocol）などを利用してもよい。
【０１６５】
また、本実施の形態１，２において、暗号が解かれたＴＶ放送は、各端末が視聴可能な通信仕様に再暗号化されてもよい。
【０１６６】
図１，１３において、宅内ネットワーク１１０は有線で示しているが、無線であってもよい。
【０１６７】
なお、本発明は、その発明の範囲内において、実施の形態を適宜、変形、省略することが可能である。
【０１６８】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０１６９】
１００  ユーザ、１０１  ユーザ宅、１０２  ＳＴＢ、１０３  専用リモコン、１１０  宅内ネットワーク、１１１  ＬＡＮインタフェース、１１２  無線ＬＡＮインタフェース、１１３  ＴＶインタフェース、１１４  操作端末、１２０  ＧＷ、１３０  宅内配信装置、１４０  無線ＬＡＮアクセスポイント、１５０  記憶装置、２００  ＩＰＴＶサービス事業者、２１０  ＣＤＮ、２２０  アクセスネットワーク、２３０  ＴＶ放送、３００  ＰＣ、３１０  タブレット端末、３２０  スマートフォン、３３０  ＴＶアダプタ、３４０  ＴＶ、４０１  ＴＳ受信部、４０２  ＣＡＳ／ＤＲＭ部、４０３  ＰＳＩ／ＳＩ管理部、４０４  チャンネル構成情報記憶部、４０５  ＴＳ配信部、４０６  選局制御部、４０７  ＷＷＷサーバ、４０８  ＣＧＩ部、４０９  統合番組表記憶部、４１０  全体管理部、４１１  録画制御部、４１２  予約情報記憶部、３０１  ＷＷＷブラウザ、３０２  ＧＵＩ画面。
【図１】
0005843974.tif 000002
【図２】
0005843974.tif 000003
【図３】
0005843974.tif 000004
【図４】
0005843974.tif 000005
【図５】
0005843974.tif 000006
【図６】
0005843974.tif 000007
【図７】
0005843974.tif 000008
【図８】
0005843974.tif 000009
【図９】
0005843974.tif 000010
【図１０】
0005843974.tif 000011
【図１１】
0005843974.tif 000012
【図１２】
0005843974.tif 000013
【図１３】
0005843974.tif 000014
【図１４】
0005843974.tif 000015
【図１５】
0005843974.tif 000016
【図１６】
0005843974.tif 000017
【図１７】
0005843974.tif 000018
【図１８】
0005843974.tif 000019
【図１９】
0005843974.tif 000020